(57)【要約】【課題】ブレーカの情報を送信する構成を単純化することを目的とする。【解決手段】３線入力端子群１２と３線出力端子群１４との間に設けられるスイッチ回路１６と、３線入力端子群１２と３線出力端子群１４との間の電力経路に流れる電流を検出する電流検出器５８と、電力経路に現れる電圧を検出する電圧検出器５６と、ブレーカ制御装置との間で通信を行う無線ユニット６４とを備える。スイッチ回路１６は、電流検出器５８による電流検出情報に基づいてオンオフ動作し、無線ユニット６４は、電流検出情報、および電圧検出器５６による電圧検出情報に基づく検出情報を、ブレーカ制御装置に送信する。無線ユニット６４は、ブレーカ制御装置から制御情報を受信し、スイッチ回路１６は、制御情報に基づいてオンオフ動作する。【選択図】図３
2016092881.tif 000002
【特許請求の範囲】
【請求項１】
入力端子と出力端子との間に設けられるスイッチ回路と、
前記入力端子と前記出力端子との間の電力経路に流れる電流を検出する電流検出器と、
前記電力経路に現れる電圧を検出する電圧検出器と、
制御装置との間で通信を行う通信部と、を備え、
前記スイッチ回路は、前記電流検出器による電流検出情報に基づいてオフ動作し、
前記通信部は、前記電流検出情報および前記電圧検出器による電圧検出情報に基づく検出情報を、前記制御装置に送信することを特徴とするブレーカ。
【請求項２】
請求項１に記載のブレーカにおいて、
前記通信部は、前記制御装置から制御情報を受信し、
前記スイッチ回路は、さらに、前記制御情報に基づいてオンオフ動作することを特徴とするブレーカ。
【請求項３】
請求項１または請求項２に記載のブレーカにおいて、
前記通信部は、前記スイッチ回路をオンからオフとするときの前記電流検出情報に対する条件であるオフ条件を前記制御装置から受信し、
前記スイッチ回路は、前記電流検出情報および前記オフ条件に基づいて、オンからオフになることを特徴とするブレーカ。
【請求項４】
請求項１から請求項３のいずれか１項に記載のブレーカにおいて、
前記スイッチ回路をオンオフ駆動するドライブ回路と、前記ドライブ回路を制御する情報処理回路と、電力源と、を備え、
前記情報処理回路は、前記入力端子から電力が入力されているときにパイロット信号を出力し、前記入力端子から電力が入力されていないときはパイロット信号を出力せず、
前記ドライブ回路は、前記情報処理回路からパイロット信号が出力されているときは、前記入力端子から入力される電力を用いて前記スイッチ回路をオンオフ駆動し、前記情報処理回路からパイロット信号が出力されないときは、前記電力源から出力された電力を用いて前記スイッチ回路をオフにすることを特徴とするブレーカ。
【請求項５】
請求項１から請求項３のいずれか１項に記載のブレーカにおいて、
前記スイッチ回路をオンオフ駆動するドライブ回路と、前記ドライブ回路を制御する情報処理回路と、を備え、
前記情報処理回路は、自らが所定の誤動作をしていないときにパイロット信号を出力し、自らが前記誤動作をしたときは前記パイロット信号を出力せず、
前記ドライブ回路は、前記情報処理回路からパイロット信号が出力されているときは、前記情報処理回路の制御に基づき前記スイッチ回路をオンオフ駆動し、前記情報処理回路からパイロット信号が出力されないときは、前記情報処理回路の制御に関わらず前記スイッチ回路をオフにすることを特徴とするブレーカ。
【請求項６】
請求項１から請求項５のいずれか１項に記載のブレーカにおいて、
前記電流検出情報に基づきオフとなった前記スイッチ回路を、ユーザの操作に応じてオンにするオンスイッチを備えることを特徴とするブレーカ。
【請求項７】
各入力端子に異なる電力供給源が接続された複数の電源側ブレーカと、各出力端子に異なる負荷が接続された複数の負荷側ブレーカと、の間で通信を行う通信部と、
前記通信部を介した通信に基づいて、各電源側ブレーカおよび各負荷側ブレーカを制御する制御部と、を備え、
前記複数の負荷側ブレーカのそれぞれの入力端子は、前記複数の電源側ブレーカのそれぞれの出力端子に共通に接続されており、
前記制御部は、
前記通信部を介した通信によって前記複数の電源側ブレーカの動作状態を検出する動作検出部と、
前記複数の電源側ブレーカの動作状態に応じて、前記複数の負荷側ブレーカのうちオンとする負荷側ブレーカを選択する選択部と、
前記選択部によって選択された１つまたは複数の負荷側ブレーカをオンとし、その他の負荷側ブレーカをオフとするブレーカ駆動部と、
を備えることを特徴とするブレーカ制御装置。
【請求項８】
請求項７に記載のブレーカ制御装置において、
前記動作検出部は、前記複数の電源側ブレーカのそれぞれに電力が入力されているか否かを検出し、
前記制御部は、
前記複数の電源側ブレーカのうちいずれかの電源側ブレーカに入力される電力が途絶えたときに、他の電源側ブレーカをオフからオンとする代替制御を実行する代替制御部を備え、
前記代替制御が実行されたときに、前記選択部は、
オフからオンとされた電源側ブレーカに接続された電力供給源の電力供給容量が、入力される電力が途絶えた電源側ブレーカに接続された電力供給源の電力供給容量よりも小さい場合に、予め定められた優先順位に従って、前記複数の負荷側ブレーカのうちオンとする少なくとも１つの負荷側ブレーカを選択することを特徴とするブレーカ制御装置。
【請求項９】
各入力端子に異なる電力供給源が接続された複数の電源側ブレーカと、出力端子に負荷が接続された負荷側ブレーカと、の間で通信を行う通信部と、
前記通信部を介した通信に基づいて、各電源側ブレーカおよび前記負荷側ブレーカを制御する制御部と、を備え、
前記負荷側ブレーカの入力端子は、前記複数の電源側ブレーカのそれぞれの出力端子に接続されており、
前記制御部は、
前記複数の電源側ブレーカのうちいずれかの電源側ブレーカをオフからオンとし、他の電源側ブレーカをオンからオフとする切り換え制御を実行する場合に、オフからオンとする電源側ブレーカに接続された電力供給源から出力される電圧の位相と、オンからオフとする電源側ブレーカに接続された電力供給源から出力される電圧の位相との差異が予め定められた範囲内となるタイミングで前記切り換え制御を実行する、切り換え制御部、
を備えることを特徴とするブレーカ制御装置。
【発明の詳細な説明】
【技術分野】
【０００１】
本発明は、ブレーカおよびブレーカ制御装置に関し、特に、通信制御が行われるブレーカ、および通信制御を行うブレーカ装置制御に関する。
【背景技術】
【０００２】
近年では、電力会社による商用電源の他、太陽電池を用いた自家発電装置や、商用電源からの電力を充電した上で出力する蓄電装置が広く用いられている。また、電力需用者が複数の電力会社から電力供給を受けることが法令および技術の観点から検討されている。このような背景の下、複数の電力供給源からいずれかを選択して使用する電力供給システムの研究開発が広く行われている。
【０００３】
特許文献１および２には、商用電源に加えて補助電源装置を用いる技術が記載されている。特許文献１には、商用電源（系統電源）から供給される電力が低下したときに、補助電源装置としての太陽電池パネルからの電力の出力先を、通常のコンセントから自立運転コンセントに切り換えることが記載されている。特許文献２には、商用電源の停電時に、複数の負荷系統のうち補助電源を供給するものがユーザによって選択される給電制御装置が記載されている。
【０００４】
また、一般の電力供給システムについては、特許文献３〜５に見られるように、一般家屋、オフィス、工場等の建造物における電力の使用状態を検出し、検出結果を通信によって送信する技術について研究開発が行われている。
【先行技術文献】
【特許文献】
【０００５】
【特許文献１】特願２０１２−２２３０７２号公報
【特許文献２】特開２０１４−３９３６４号公報
【特許文献３】特開２０１１−１５１９７９号公報
【特許文献４】特開２０１４−５７２１３号公報
【特許文献５】特開２００７−５１０３９４号公報
【発明の概要】
【発明が解決しようとする課題】
【０００６】
建造物には、過大電流や漏電が検出されたときに電力を遮断するブレーカが用いられる。複数の電力供給源からいずれかを選択して使用する電力供給システムでは、ブレーカに流れる電流や、ブレーカに印加されている電圧等の動作状態を制御装置に送信する通信機器が用いられる場合がある。しかし、ブレーカに併せて通信機器を設置する場合の配線や、機械的な構造が複雑となる場合がある。
【０００７】
本発明は、ブレーカの情報を送信する構成を単純化することを目的とする。
【課題を解決するための手段】
【０００８】
本発明は、入力端子と出力端子との間に設けられるスイッチ回路と、前記入力端子と前記出力端子との間の電力経路に流れる電流を検出する電流検出器と、前記電力経路に現れる電圧を検出する電圧検出器と、制御装置との間で通信を行う通信部と、を備え、前記スイッチ回路は、前記電流検出器による電流検出情報に基づいてオフ動作し、前記通信部は、前記電流検出情報および前記電圧検出器による電圧検出情報に基づく検出情報を、前記制御装置に送信することを特徴とする。
【０００９】
望ましくは、前記通信部は、前記制御装置から制御情報を受信し、前記スイッチ回路は、さらに、前記制御情報に基づいてオンオフ動作する。
【００１０】
また、望ましくは、前記通信部は、前記スイッチ回路をオンからオフとするときの前記電流検出情報に対する条件であるオフ条件を前記制御装置から受信し、前記スイッチ回路は、前記電流検出情報および前記オフ条件に基づいて、オンからオフになる。
【００１１】
また、望ましくは、前記スイッチ回路をオンオフ駆動するドライブ回路と、前記ドライブ回路を制御する情報処理回路と、電力源と、を備え、前記情報処理回路は、前記入力端子から電力が入力されているときにパイロット信号を出力し、前記入力端子から電力が入力されていないときはパイロット信号を出力せず、前記ドライブ回路は、前記情報処理回路からパイロット信号が出力されているときは、前記入力端子から入力される電力を用いて前記スイッチ回路をオンオフ駆動し、前記情報処理回路からパイロット信号が出力されないときは、前記電力源に充電された電力を用いて前記スイッチ回路をオフにする。
【００１２】
また、望ましくは、前記スイッチ回路をオンオフ駆動するドライブ回路と、前記ドライブ回路を制御する情報処理回路と、を備え、前記情報処理回路は、自らが所定の誤動作をしていないときにパイロット信号を出力し、自らが前記誤動作をしたときは前記パイロット信号を出力せず、前記ドライブ回路は、前記情報処理回路からパイロット信号が出力されているときは、前記情報処理回路の制御に基づき前記スイッチ回路をオンオフ駆動し、前記情報処理回路からパイロット信号が出力されないときは、前記情報処理回路の制御に関わらず前記スイッチ回路をオフにする。
【００１３】
また、望ましくは、前記電流検出情報に基づきオフとなった前記スイッチ回路を、ユーザの操作に応じてオンにするオンスイッチを備える。
【００１４】
また、本発明は、各入力端子に異なる電力供給源が接続された複数の電源側ブレーカと、各出力端子に異なる負荷が接続された複数の負荷側ブレーカと、の間で通信を行う通信部と、前記通信部を介した通信に基づいて、各電源側ブレーカおよび各負荷側ブレーカを制御する制御部と、を備え、前記複数の負荷側ブレーカのそれぞれの入力端子は、前記複数の電源側ブレーカのそれぞれの出力端子に共通に接続されており、前記制御部は、前記通信部を介した通信によって前記複数の電源側ブレーカの動作状態を検出する動作検出部と、前記複数の電源側ブレーカの動作状態に応じて、前記複数の負荷側ブレーカのうちオンとする負荷側ブレーカを選択する選択部と、前記選択部によって選択された１つまたは複数の負荷側ブレーカをオンとし、その他の負荷側ブレーカをオフとするブレーカ駆動部と、を備えることを特徴とする。
【００１５】
望ましくは、前記動作検出部は、前記複数の電源側ブレーカのそれぞれに電力が入力されているか否かを検出し、前記制御部は、前記複数の電源側ブレーカのうちいずれかの電源側ブレーカに入力される電力が途絶えたときに、他の電源側ブレーカをオフからオンとする代替制御を実行する代替制御部を備え、前記代替制御が実行されたときに、前記選択部は、オフからオンとされた電源側ブレーカに接続された電力供給源の電力供給容量が、入力される電力が途絶えた電源側ブレーカに接続された電力供給源の電力供給容量よりも小さい場合に、予め定められた優先順位に従って、前記複数の負荷側ブレーカのうちオンとする少なくとも１つの負荷側ブレーカを選択する。
【００１６】
また、本発明は、各入力端子に異なる電力供給源が接続された複数の電源側ブレーカと、出力端子に負荷が接続された負荷側ブレーカと、の間で通信を行う通信部と、前記通信部を介した通信に基づいて、各電源側ブレーカおよび前記負荷側ブレーカを制御する制御部と、を備え、前記負荷側ブレーカの入力端子は、前記複数の電源側ブレーカのそれぞれの出力端子に接続されており、前記制御部は、前記複数の電源側ブレーカのうちいずれかの電源側ブレーカをオフからオンとし、他の電源側ブレーカをオンからオフとする切り換え制御を実行する場合に、オンからオフとする電源側ブレーカに接続された電力供給源から出力される電圧の位相と、オフからオンとする電源側ブレーカに接続された電力供給源から出力される電圧の位相との差異が予め定められた範囲内となるタイミングで前記切り換え制御を実行する、切り換え制御部、を備えることを特徴とする。
【発明の効果】
【００１７】
本発明によれば、ブレーカの情報を送信する構成を単純化することができる。
【図面の簡単な説明】
【００１８】
【図１】本発明の実施形態に係る電力供給システムの構成を示す図である。
【図２】複数の電源側ブレーカを異なる電力会社によって提供された商用電源に接続した電力供給システムを示す図である。
【図３】電源側ブレーカの構成例を示す図である。
【図４】負荷側ブレーカの構成例を示す図である。
【発明を実施するための形態】
【００１９】
（１）電力給電システムの構成
図１には、本発明の実施形態に係る電力供給システムの構成が示されている。電力供給システムは、電源側ブレーカＰ１、電源側ブレーカＰ２、負荷側ブレーカＱ１〜Ｑ３、２相・中性線３０、電源回路３８およびブレーカ制御装置４０を備える。この電力供給システムは、通常の状態では、商用電源１０から負荷システムＬ１〜Ｌ３に電力を供給する。そして、停電等により商用電源１０から供給される電力が途絶えたときには、負荷システムＬ１〜Ｌ３のうちから選択されたものに補助電源装置２８から電力を供給する。以下の説明では、電源側ブレーカＰ１およびＰ２の各電源側ブレーカを示す符号を「Ｐ」とし、負荷側ブレーカＱ１〜Ｑ３の各負荷側ブレーカを示す符号を「Ｑ」とする。
【００２０】
電源側ブレーカＰは、３線入力端子群１２および３線出力端子群１４を備える。３線入力端子群１２は２つの単相入力端子ａおよびｂと、中性入力端子ｃを備える。３線出力端子群１４は２つの単相出力端子ｄおよびｅと、中性出力端子ｆを備える。
【００２１】
電源側ブレーカＰは、さらに、スイッチ回路１６およびスイッチ制御部１８を備える。３線入力端子群１２と３線出力端子群１４との間にはスイッチ回路１６が接続されている。スイッチ制御部１８は、スイッチ回路１６をオンオフ制御する。また、スイッチ制御部１８は通信部として動作し、ブレーカ制御装置４０との間で無線通信を行い、電源側ブレーカＰの動作情報をブレーカ制御装置４０に所定の時間間隔で送信する。
【００２２】
動作情報は、例えば、電圧検出情報、電流検出情報、電力検出情報、漏電検出情報およびオンオフ情報を含む。電圧検出情報は単相入力端子ａと中性入力端子ｃとの間の電圧の検出値、および、単相入力端子ｂと中性入力端子ｃとの間の電圧の検出値を表し、電流検出情報は単相入力端子ａおよびｂに流れる各電流の検出値を表す。電力検出情報は電源側ブレーカＰによって伝送される電力の検出値を表し、漏電検出情報は、電源側ブレーカＰに流れる漏洩電流の検出値を表す。漏洩電流は、３線出力端子群１４から２相・中性線３０側に流出する電流と、２相・中性線３０側から３線出力端子群１４に流入する電流との差として現れる電流である。オンオフ情報はスイッチ回路１６がオンであるかオフであるかを表す。
【００２３】
電源側ブレーカＰ１およびＰ２は、異なる電力供給源に接続されている。すなわち、電源側ブレーカＰ１の３線入力端子群１２は商用電源１０に接続されている。例えば、３線入力端子群１２には、屋外の配電設備から引き出された電力供給線が接続される。電源側ブレーカＰ２の３線入力端子群１２は、補助電源装置２８に接続されている。補助電源装置２８としては、例えば、太陽電池装置、商用電源から供給された電力を充電した上で出力する蓄電装置が用いられる。ここでは、補助電源装置２８の電力容量は、商用電源１０の電力容量よりも小さいものとする。
【００２４】
各電源側ブレーカＰの３線出力端子群１４は、２相・中性線３０に接続されている。２相・中性線３０は、第１単相線３２、第２単相線３４および中性線３６を備える。各電源側ブレーカＰの単相出力端子ｄおよびｅは、それぞれ、第１単相線３２および第２単相線３４に接続されている。各電源側ブレーカＰの中性出力端子ｆは、中性線３６に接続されている。
【００２５】
負荷側ブレーカＱは、入力端子対２２および出力端子対２４を備える。入力端子対２２は、単相入力端子ｇおよび中性入力端子ｈを備える。出力端子対２４は、単相出力端子ｊおよび中性出力端子ｋを備える。
【００２６】
負荷側ブレーカＱは、さらに、スイッチ回路２０およびスイッチ制御部２６を備える。入力端子対２２と出力端子対２４との間にはスイッチ回路２０が接続されている。スイッチ制御部２６は、スイッチ回路２０をオンオフ制御する。また、スイッチ制御部２６は通信部として動作し、負荷側ブレーカＱの動作情報をブレーカ制御装置４０に所定の時間間隔で送信する。
【００２７】
動作情報は、例えば、電圧検出情報、電流検出情報、電力検出情報、漏電検出情報およびオンオフ情報を含む。電圧検出情報は単相入力端子ｇと中性入力端子ｈとの間の電圧の検出値を表し、電流検出情報は単相入力端子ｇに流れる電流の検出値を表す。電力検出情報は負荷側ブレーカＱによって伝送される電力の検出値を表し、漏電検出情報は負荷側ブレーカＱに流れる漏洩電流の検出値を表す。漏洩電流は、出力端子対２４から負荷側に流出する電流と、負荷側から出力端子対２４に流入する電流との差異として現れる電流である。オンオフ情報はスイッチ回路２０がオンであるかオフであるかを表す。
【００２８】
各負荷側ブレーカＱの入力端子対２２は、２相・中性線３０のうちの第２単相線３４と中性線３６に接続されている。すなわち、各負荷側ブレーカＱの単相入力端子ｇは第２単相線３４に接続され、中性入力端子ｈは中性線３６に接続されている。これによって、各電源側ブレーカＰの単相出力端子ｅおよび中性出力端子ｆと、各負荷側ブレーカＱの単相入力端子ｇおよび中性入力端子ｈとが、共通に接続される。
【００２９】
負荷側ブレーカＱ１〜Ｑ３には異なる負荷システムが接続されている。すなわち、負荷側ブレーカＱ１〜Ｑ３のそれぞれの出力端子対２４には、それぞれ、第１負荷システムＬ１、第２負荷システムＬ２、および第３負荷システムＬ３が接続されている。各負荷システムは、コンセント（ＡＣアウトレット）の他、コンセントを介さずに接続される電気機器等を含む。
【００３０】
ブレーカ制御装置４０は、ブレーカ制御部４２、無線インターフェース４４、有線インターフェース４６、表示部４５およびバッテリ４７を備える。ブレーカ制御装置４０は、専用のコンピュータの他、パーソナルコンピュータ、スマートホン等であってもよい。ブレーカ制御部４２は、電源側ブレーカＰが備えるスイッチ制御部１８との間、および負荷側ブレーカＱが備えるスイッチ制御部２６との間で無線通信を行う通信部として動作する。ブレーカ制御部４２は、この無線通信によって各スイッチ制御部にスイッチ回路の制御を行わせる。また、ブレーカ制御部４２は、スイッチ制御部１８との間で無線通信を行い電源側ブレーカＰの動作条件を設定し、スイッチ制御部２６との間で無線通信を行い負荷側ブレーカＱの動作条件を設定する。
【００３１】
ブレーカ制御装置４０は電源回路３８に接続されている。電源回路３８は、２相・中性線３０の第１単相線３２および中性線３６から電力を取得し、ブレーカ制御装置４０に直流電力を供給する。電源側ブレーカＰ１および電源側ブレーカＰ２の両方がオフである場合、電源回路３８には電力が供給されず、電源回路３８からブレーカ制御装置４０に電力が供給されない。この状態であっても、ブレーカ制御部４２はバッテリ４７から供給される電力によって動作し、電源側ブレーカＰおよび負荷側ブレーカＱのスイッチ制御部と無線通信が可能である。なお、ブレーカ制御装置４０には、ブレーカ制御装置４０の全体に電源電力を供給するバッテリが設けられていてもよい。
【００３２】
無線インターフェース４４は、ＷｉＦｉ、ＷｉＭＡＸ（登録商標）等の通信インフラストラクチャや、無線ＬＡＮ（Local Area Network）等にブレーカ制御装置４０を無線接続する。有線インターフェース４６は、通信コネクタ４８に接続された光ファイバーシステム、デジタル加入者線等の有線ネットワークにブレーカ制御装置４０を有線接続する。
【００３３】
なお、電源側ブレーカＰおよび負荷側ブレーカＱの各スイッチ制御部、およびブレーカ制御装置４０のブレーカ制御部４２は、無線通信を行うためのハードウエアとしてＺｉｇｂｅｅ（登録商標）、Ｂｌｕｅｔｏｏｔｈ（登録商標）等の規格に基づく無線モジュールを備えていてもよい。
【００３４】
各電源側ブレーカＰ、各負荷側ブレーカＱ、ブレーカ制御装置４０および電源回路３８は、例えば、建造物内における分電盤収納箱に収納される。また、各電源側ブレーカＰ、各負荷側ブレーカＱおよび電源回路３８を分電盤収納箱に収納し、ブレーカ制御装置４０を分電盤収納箱から離れた位置に設置してもよい。
【００３５】
（２）ブレーカの動作
電源側ブレーカＰおよび負荷側ブレーカＱは、自らが備えるスイッチ回路がオンであるときにおいて、過大電流または漏洩電流が流れたときはスイッチ回路をオフにする。具体的には、次のような処理を実行する。
【００３６】
電源側ブレーカＰが備えるスイッチ制御部１８は、単相入力端子ａおよびｂに流れる各電流と、電源側ブレーカＰに流れる漏洩電流を検出する。スイッチ制御部１８は、単相入力端子ａの電流検出値、または、単相入力端子ｂの電流検出値が所定の電流閾値を超えた場合には、スイッチ回路１６をオフにする。あるいは、漏洩電流検出値が所定の漏洩電流閾値を超えた場合には、スイッチ回路１６をオフにする。
【００３７】
負荷側ブレーカＱが備えるスイッチ制御部２６は、単相入力端子ｇに流れる電流、および負荷側ブレーカＱに流れる漏洩電流を検出する。スイッチ制御部２６は、単相入力端子ｇの電流検出値が所定の電流閾値を超えた場合には、スイッチ回路２０をオフにする。あるいは、漏洩電流検出値が所定の漏洩電流閾値を超えた場合には、スイッチ回路２０をオフにする。
【００３８】
また、電源側ブレーカＰが備えるスイッチ制御部１８は、単相入力端子ａと中性入力端子ｃとの間の電圧が所定のオフ閾値以下となったとき、または、単相入力端子ｂと中性入力端子ｃとの間の電圧が所定のオフ閾値以下となったときにスイッチ回路１６をオフにする。同様に、負荷側ブレーカＱが備えるスイッチ制御部２６は、単相入力端子ｇと中性入力端子ｈとの間の電圧が所定のオフ閾値以下となったときにスイッチ回路２０をオフにする。
【００３９】
電源側ブレーカＰが備えるスイッチ制御部１８は、３線入力端子群１２から入力される電力によって動作し、負荷側ブレーカＱが備えるスイッチ制御部２６は、入力端子対２２から入力される電力によって動作する。したがって、スイッチ制御部１８は、単相入力端子ａと中性入力端子ｃとの間の電圧がオフ閾値以下となったとき、または、単相入力端子ｂと中性入力端子ｃとの間の電圧がオフ閾値以下となったときには、供給電力が０であるか十分でなく、動作情報を送信しない。同様に、スイッチ制御部２６は、単相入力端子ｇと中性入力端子ｈとの間の電圧がオフ閾値以下となったときには、動作情報を送信しない。
【００４０】
また、電源側ブレーカＰが備えるスイッチ制御部１８は、ブレーカ制御装置４０から受信した制御情報に基づいて、スイッチ回路１６をオンからオフにし、あるいは、オフからオンにする。同様に、負荷側ブレーカＱが備えるスイッチ制御部２６は、ブレーカ制御装置４０から受信した制御情報に基づいて、スイッチ回路２０をオンからオフにし、あるいは、オフからオンにする。
【００４１】
（３）代替制御
電力供給システムでは、通常動作においては、電源側ブレーカＰ１がオン、電源側ブレーカＰ２がオフとなっており、負荷側ブレーカＱ１〜Ｑ３がオンとなっている。これによって、商用電源１０から第１負荷システムＬ１、第２負荷システムＬ２および第３負荷システムＬ３に電力が供給される。
【００４２】
一方、電力供給システムは、停電等によって商用電源１０から供給される電力が遮断された場合には代替制御を実行する。代替制御では、電源側ブレーカＰ１のスイッチ回路１６がオンからオフとなり、電源側ブレーカＰ２のスイッチ回路１６がオフからオンにされる。これによって、商用電源１０に代えて補助電源装置２８から各負荷システムに電力が供給される。
【００４３】
商用電源１０から出力される電力が遮断されると、電源側ブレーカＰ１のスイッチ回路１６は自動的にオフとなる。そして、電源側ブレーカＰ１からは動作情報が送信されなくなる。このとき、電源側ブレーカＰ２のスイッチ回路１６がオフである場合には、電源回路３８からブレーカ制御装置４０に電力が供給されない状態となり、ブレーカ制御装置４０のブレーカ制御部４２は、バッテリ４７から供給される電力を用いて動作する。さらに、負荷側ブレーカＱ１〜Ｑ３にも電力が供給されない状態となり、負荷側ブレーカＱ１〜Ｑ３のスイッチ回路２０は自動的にオフとなる。ブレーカ制御部４２は、電源側ブレーカＰ１からの動作情報が途絶えたことを認識すると、次のように電源側ブレーカＰおよび負荷側ブレーカＱをオンオフ制御する。
【００４４】
ブレーカ制御部４２は、電源側ブレーカＰ２のスイッチ回路１６をオンにする。そして、負荷側ブレーカＱ１〜Ｑ３のうち、スイッチ回路２０をオンにするものを選択し、選択した負荷側ブレーカのスイッチ回路２０をオンにする。これによって、選択された負荷側ブレーカＱを介して、選択された負荷システムに補助電源装置２８から電力が供給される。
【００４５】
第１負荷システムＬ１、第２負荷システムＬ２および第３負荷システムＬ３については、補助電源装置２８から電力を供給する場合の優先順位が定められている。例えば、第２負荷システムＬ２は、消費電力が小さく、かつ、短時間であっても電源電力を遮断することが好ましくない電気機器、あるいは、そのような電気機器用のコンセントを含んでいるものとする。このような電気機器としては、冷蔵庫、防犯装置、火災報知器、廊下の電灯等がある。また、第１負荷システムＬ１は、消費電力が中程度の電気機器、あるいは、そのような電気機器用のコンセントを含んでいるものとする。このような電気機器としては、テレビ、オーディオ装置、部屋全体を照らす電灯等がある。さらに、第３負荷システムＬ３は、消費電力が大きい電気機器、あるいは、そのような電気機器用のコンセントを含んでいるものとする。このような電気機器としては、エアコンディショナ、電気ストーブ、調理器、電子レンジ等がある。この場合、第２負荷システムＬ２、第１負荷システムＬ１、第３負荷システムＬ３の順に優先順位が定められる。
【００４６】
負荷システムおよび負荷側ブレーカＱの選択は、上述の優先順位と、各負荷側ブレーカＱから事前に取得した電力検出情報に基づいて行われる。第１負荷システムＬ１、第２負荷システムＬ２および第３負荷システムＬ３のそれぞれの消費電力が、事前に取得した電力検出情報に基づいて求められる。この消費電力は、ある期間における時間平均値であってもよい。優先順位に従って、消費電力を順に加算していった場合に、その加算合計値が補助電源装置２８の電力容量以下となるような順位までの負荷システムが選択され、その負荷システムが接続された負荷側ブレーカが選択される。
【００４７】
上記の例では、第２負荷システムＬ２、第１負荷システムＬ１、第３負荷システムＬ３の順に優先順位が定められている。例えば、第２負荷システムＬ２および第１負荷システムＬ１の消費電力が、補助電源装置２８の電力容量以下であるものの、第２負荷システムＬ２、第１負荷システムＬ１、および第３負荷システムＬ３の総ての消費電力が補助電源装置２８の電力容量を超える場合には、第２負荷システムＬ２および第１負荷システムＬ１が選択され、負荷側ブレーカＱ２および負荷側ブレーカＱ１が選択される。
【００４８】
代替制御によれば、商用電源１０から供給される電力が遮断されたときには、電力を供給すべき負荷システムが優先順位および消費電力に従って選択され、その選択された負荷システムに補助電源装置２８から電力が供給される。
【００４９】
ここでは、ブレーカ制御部４２が、電源側ブレーカＰ１からの動作情報が途絶えたことを認識することにより、ブレーカ制御部４２が電源側ブレーカＰ２をオンにする制御について説明した。このような制御の他、電源側ブレーカＰ２が、電源側ブレーカＰ１から送信される動作情報が途絶えたことを認識することにより、自らのスイッチ回路１６をオンにする半自律的・代替制御を実行してもよい。この場合、電源側ブレーカＰ２のスイッチ制御部１８は、電源側ブレーカＰ１から送信される動作情報を随時受信し、電源側ブレーカＰ１から送信される動作情報が途絶えたときに、電源側ブレーカＰ２のスイッチ回路１６をオンにする。これによって、商用電源１０から出力される電力が遮断され、電源側ブレーカＰ１のスイッチ回路１６がオフとなったときには、電源側ブレーカＰ２のスイッチ回路１６がオンになる。電源側ブレーカＰ１のスイッチ回路１６がオフとなった後、電源側ブレーカＰ２のスイッチ回路１６がオンとなるまでの間、負荷側ブレーカＱ１〜Ｑ３は一旦電力が供給されない状態となるため、それぞれのスイッチ回路２０は自動的にオフとなる。ブレーカ制御部４２は、負荷側ブレーカＱ１〜Ｑ３のうち、スイッチ回路２０をオンにするものを選択し、選択した負荷側ブレーカのスイッチ回路２０をオンにする。このような半自律的・代替制御を実行するに際してブレーカ制御部４２は、電源回路３８から供給される電力を用いる。したがって、必ずしもバッテリ４７からブレーカ制御部４２に電力を供給する必要はないため、バッテリ４７を設けなくてもよい。
【００５０】
なお、優先順位および消費電力に基づいて負荷システムおよび負荷側ブレーカＱを選択する代わりに、予め定められた負荷システムおよび負荷側ブレーカＱを選択する処理が実行されてもよい。選択されるべき負荷側ブレーカＱを識別する情報は、ユーザの操作によってブレーカ制御部４２に記憶される。この場合、ブレーカ制御部４２は、電源側ブレーカＰ１からの動作情報が途絶え、負荷側ブレーカＱ１〜Ｑ３のスイッチ回路２０が自動的にオフになった後、負荷側ブレーカＱ１〜Ｑ３のうち、予め定められたもののスイッチ回路２０をオンにする。
【００５１】
このように、ブレーカ制御装置４０のブレーカ制御部４２は、電源側ブレーカＰまたは負荷側ブレーカＱとの間の無線通信によって受信された動作情報によって、各電源側ブレーカＰの動作状態を検出する動作検出部、各電源側ブレーカＰの動作状態に応じて、複数の負荷側ブレーカＱのうちオンとする負荷側ブレーカを選択する選択部、および、選択部によって選択された１つまたは複数の負荷側ブレーカをオンとし、その他の負荷側ブレーカをオフとするブレーカ駆動部として動作する。
【００５２】
ブレーカ制御部４２は、複数の電源側ブレーカＰのうちいずれかの電源側ブレーカに入力される電力が途絶えたときに、他の電源側ブレーカをオフからオンとする代替制御を実行する代替制御部として動作し、代替制御が実行されたときに、オフからオンとされた電源側ブレーカＰに接続された電力供給源の電力供給容量が、入力される電力が途絶えた電源側ブレーカＰに接続された電力供給源の電力供給容量よりも小さい場合に、予め定められた優先順位に従って、複数の負荷側ブレーカＱのうちオンとする少なくとも１つの負荷側ブレーカを選択する選択部として動作する。
【００５３】
（４）復旧制御
商用電源１０からの電力が途絶え、代替制御が実行された後、商用電源１０から再び電力が出力された場合、電力供給システムは復旧制御（切り換え制御）を実行する。復旧制御では、電源側ブレーカＰ１のスイッチ回路１６がオフからオンにされ、電源側ブレーカＰ２のスイッチ回路１６がオンからオフにされる。これによって、補助電源装置２８に代えて、商用電源１０から再び各負荷システムに電力が供給される。
【００５４】
商用電源１０から電源側ブレーカＰ１に再び電力が出力されると、電源側ブレーカＰ１は、ブレーカ制御部４２に動作情報を送信する。ブレーカ制御部４２は、電源側ブレーカＰ１から動作情報を受信することにより、商用電源１０から再び電力が出力されたことを認識し、次のように電源側ブレーカＰおよび負荷側ブレーカＱをオンオフ制御する。
【００５５】
ブレーカ制御部４２は、電源側ブレーカＰ１およびＰ２のそれぞれから受信した動作情報に含まれる電圧検出情報に基づいて、商用電源１０が出力する電圧の位相、および補助電源装置２８が出力する電圧の位相を求める。すなわち、ブレーカ制御部４２は、電源側ブレーカＰ１およびＰ２のそれぞれから時間経過と共に次々と受信される動作情報に基づいて、時間軸上の位相を求める。
【００５６】
なお、ブレーカ制御部４２が電圧の位相を求める代わりに、各電源側ブレーカＰのスイッチ制御部１８が電圧の位相を求めてもよい。この場合、各電源側ブレーカＰのスイッチ制御部１８は、単相入力端子ａと中性入力端子ｃとの間の電圧の位相、および、単相入力端子ｂと中性入力端子ｃとの間の電圧の位相を検出する。そして、各位相検出値を示す位相検出情報を動作情報に含ませて、ブレーカ制御部４２に送信する。ブレーカ制御部４２は、動作情報を受信し、動作情報に含まれる位相検出情報から単相入力端子ａと中性入力端子ｃとの間の電圧の位相、および、単相入力端子ｂと中性入力端子ｃとの間の電圧の位相を取得する。
【００５７】
商用電源１０および補助電源装置２８から出力される各電圧は、完全に位相同期していないことが多く、これらの位相差は時間経過と共に変化することが多い。そこで、ブレーカ制御部４２は、商用電源１０および補助電源装置２８が出力する各電圧の位相差が所定範囲内にあるタイミングで、電源側ブレーカＰ１のスイッチ回路１６をオフからオンとし、その後、電源側ブレーカＰ２のスイッチ回路１６をオンからオフとする。
【００５８】
ブレーカ制御部４２は、さらに、負荷側ブレーカＱ１〜Ｑ３のうち、代替制御によってオフになっていた負荷側ブレーカのスイッチ回路２０をオンにする。
【００５９】
このように、ブレーカ制御装置４０のブレーカ制御部４２は、複数の電源側ブレーカＰのうちいずれかをオフからオンとし、他の電源側ブレーカＰをオンからオフとする切り換え制御を実行する場合に、オンからオフとする電源側ブレーカＰに接続された電力供給源から出力される電圧の位相と、オフからオンとする電源側ブレーカＰに接続された電力供給源から出力される電圧の位相との差異が予め定められた範囲内となるタイミングで切り換え制御を実行する切り換え制御部として動作し、復旧制御を行う。
【００６０】
復旧制御によれば、代替制御が実行された後、商用電源１０から再び電力が供給されたときには、補助電源装置２８に代えて、商用電源１０から各負荷システムに電力が供給される。補助電源装置２８から商用電源１０への切り換えは、これらが出力する電圧の位相差が所定範囲内であるタイミングで行われる。これによって、各負荷システムに与えられる電圧の位相が急激に変動することが回避される。
【００６１】
（５）電力会社の選択
上記では、電源側ブレーカＰ１が商用電源１０に接続され、電源側ブレーカＰ２が補助電源装置２８に接続された例について説明した。このような電力供給システムの他、図２に示されているように、複数の電源側ブレーカＰを異なる電力会社によって提供された商用電源に接続した電力供給システムを構成してもよい。図１に示されている構成要素と同一の構成要素については、同一の符号を付してその説明を省略する。
【００６２】
この電力供給システムでは、図１に示される電力供給システムに対し、電源側ブレーカＰ３が追加されている。電源側ブレーカＰ１の３線入力端子群１２は、第１商用電源１０１に接続されている。また、電源側ブレーカＰ２の３線入力端子群１２は、第２商用電源１０２に接続されている。そして、電源側ブレーカＰ３の３線入力端子群１２は、第３商用電源１０３に接続されている。第１商用電源１０１、第２商用電源１０２および第３商用電源１０３は、異なる電力会社によって提供されている。
【００６３】
ブレーカ制御装置４０は、ユーザの操作に応じて電源側ブレーカＰ１〜Ｐ３のうちいずれか１つをオンにし、その他をオフにする。これによって、３つの電力会社によって提供される商用電源のうちいずれか１つから各負荷システムに電力が供給される。
【００６４】
ブレーカ制御装置４０は、電源側ブレーカＰ１〜Ｐ３のうちオフになっている１つの電源側ブレーカＰをオンとし、その他のオンとなっている１つの電源側ブレーカＰをオフにして、電力供給元の商用電源を切り換えるときは、上述の復旧制御と同様の切り換え制御を実行する。すなわち、ブレーカ制御部４２は、先に電力供給元となっている現用の商用電源が出力する電圧、および、これから電力供給元とする後用の商用電源が出力する電圧の位相差が所定範囲内にあるタイミングで、後用の商用電源に接続された電源側ブレーカＰをオフからオンとし、その後、現用の商用電源に接続された電源側ブレーカＰをオンからオフとする。
【００６５】
また、現用の商用電源の電力容量よりも後用の商用電源の電力容量が小さい場合には、上述のように、後用の商用電源の電力容量を超えない消費電力の範囲で、優先順位に従って選択された負荷側ブレーカＱのみをオンにする処理を実行してもよい。
【００６６】
このような電力供給システムによれば、異なる電力会社が提供する複数の商用電源のうちいずれか１つが現用商用電源として選択される。各電力会社は、電力量や電力の使用時間帯に応じて異なる料金プランで電力を供給する。したがって、各商用電源から取得する電力量や、各商用電源を使用する時間帯を調整することで、電気料金がリーズナブルな金額に抑えられる。このような電気料金の適切化を行うため、ブレーカ制御部４２が実行するプログラムによって、各電源側ブレーカＰを予め定められた時間帯でオンにし、予め定められた時間帯でオフにする制御を実行してもよい。
【００６７】
（６）電源側ブレーカの構成例
（６−１）回路構成
図３には、電源側ブレーカＰの構成例が示されている。図１および図２に示されている構成要素と同一の構成要素については同一の符号を付してその説明を省略する。電源側ブレーカＰは、スイッチ制御部を構成する構成要素として、直流電源回路５０、電圧検出器５６、電流検出器５８、電流検出デバイス５２、電流検出デバイス５４、抵抗器６６、情報処理回路６０、温度センサ７６、ドライブ回路６２、無線ユニット６４、インジケータ７２およびオンスイッチ７４を備えている。また、３線入力端子群１２、３線出力端子群１４、およびスイッチ回路１６を備えている。
【００６８】
（６−２）スイッチ回路の動作
スイッチ回路１６は、第１スイッチ１６−１、第２スイッチ１６−２、第３スイッチ１６−３、セットコイル１６Ｓおよびリセットコイル１６Ｒを備える。第１スイッチ１６−１は、単相入力端子ａと単相出力端子ｄとの間に接続されている。第２スイッチ１６−２は、単相入力端子ｂと単相出力端子ｅとの間に出力されている。第３スイッチ１６−３は、中性入力端子ｃと中性出力端子ｆとの間に接続されている。
【００６９】
これらのスイッチは連動し、揃ってオンになり、揃ってオフになる。スイッチ回路１６はラッチング遮断開閉器として動作する。すなわち、セットコイル１６Ｓに電流が流れると、その磁力によって各スイッチがオンになる。他方、リセットコイル１６Ｒに電流が流れると、その磁力によって各スイッチがオフになる。
【００７０】
スイッチ回路１６は、セットコイル１６Ｓおよびリセットコイル１６Ｒに流れる電流を制御するドライブ回路６２によってオンオフ駆動される。ドライブ回路６２は、情報処理回路６０からオン・パルス信号ＯＮが出力されたときは、セットコイル１６Ｓに電流を流し、スイッチ回路１６をオンにする。ドライブ回路６２は、情報処理回路６０からオフ・パルス信号ＯＦＦが出力されたときは、リセットコイル１６Ｒに電流を流し、スイッチ回路１６をオフにする。
【００７１】
情報処理回路６０に電源電力が供給されており、かつ、情報処理回路６０が誤動作を起こすことなく動作している場合には、情報処理回路６０からドライブ回路６２には、パイロット信号ＰＬが出力される。一方、情報処理回路６０に電源電力が供給されていないか、あるいは、情報処理回路６０が所定の誤動作を起こしている場合には、情報処理回路６０からドライブ回路６２にパイロット信号ＰＬは出力されない。ドライブ回路６２は、情報処理回路６０からパイロット信号ＰＬが出力されている間は、オン・パルス信号ＯＮおよびオフ・パルス信号ＯＦＦに基づきスイッチ回路１６をオンオフ駆動する。一方、ドライブ回路６２は、情報処理回路６０からパイロット信号ＰＬが出力されていないときは、オン・パルス信号ＯＮおよびオフ・パルス信号ＯＦＦが情報処理回路６０から出力されているか否かに関わらずスイッチ回路１６をオフにする。
【００７２】
ここでパイロット信号ＰＬとしては、例えば、ハイおよびローが繰り返されるパルス波形を有するウォッチドッグパルス信号が用いられる。パイロット信号には、パルス波形信号の他、情報処理回路６０が誤動作することなく動作していることを示す信号が用いられてもよい。パイロット信号は、周期的であっても非周期的であってもよい。また、どのような誤動作が生じた場合にパイロット信号ＰＬの出力が停止されるかは、情報処理回路６０の設計に応じて定まる。
【００７３】
（６−３）遮断動作
単相入力端子ａと単相出力端子ｄとの間の電流経路（電力経路）、および、単相入力端子ｂと単相出力端子ｅとの間の電流経路（電力経路）には、それぞれ電流検出デバイス５２および電流検出デバイス５４が設けられている。各電流検出デバイスには、例えば、電流検出用トランスが用いられる。各電流検出デバイスは、電流検出器５８に検出信号を出力する。電流検出器５８は、各検出信号に応じた電流検出値を情報処理回路６０に出力する。
【００７４】
中性入力端子ｃと中性出力端子ｆとの間の導線には、漏電検出用の抵抗器６６が直列に挿入されている。電流検出器５８は、抵抗器６６の端子間電圧を検出し、上記の電流検出値および抵抗器６６の端子間電圧に基づいて漏洩電流検出値を求めて情報処理回路６０に出力する。なお、抵抗器６６の代わりに電流検出デバイスが用いられてもよい。この場合、この電流検出デバイスの検出値と、上記の電流検出値に基づいて漏洩電流検出値が求められる。
【００７５】
情報処理回路６０は、電流検出デバイス５２による電流検出値が所定の電流閾値を超えた場合、電流検出デバイス５４による電流検出値が所定の電流閾値を超えた場合、または、漏洩電流検出値が所定の漏洩電流閾値を超えた場合には、ドライブ回路６２にオフ・パルス信号ＯＦＦを出力し、スイッチ回路１６をオフにする。
【００７６】
このような遮断動作によれば、電源側ブレーカＰに所定値を超える電流または漏洩電流が流れた場合には、スイッチ回路１６がオフになり、電力供給システムがより安全なものとなる。
【００７７】
また、温度センサ７６は、電源側ブレーカＰの筐体内の温度を検出し、温度検出値を情報処理回路６０に出力する。情報処理回路６０は、温度検出値が所定の温度閾値を超えたときに、ドライブ回路６２にオフ・パルス信号ＯＦＦを出力し、スイッチ回路１６をオフにする。
【００７８】
さらに、情報処理回路６０にはオンスイッチ７４が接続されている。オンスイッチ７４がユーザによって操作された場合、情報処理回路６０はドライブ回路６２にオン・パルス信号ＯＮを出力する。これによって、遮断動作によってオフの状態にあるスイッチ回路１６が手動によってオンになる。なお、電流検出値または漏洩電流検出値に基づく遮断動作によってスイッチ回路１６がオフとなった場合、オンスイッチ７４のみをスイッチ回路１６を再びオンにするための手段としてもよい。この場合、情報処理回路６０は、スイッチ回路１６をオンにする制御情報がブレーカ制御装置４０から受信されたとしてもオン・パルスＯＮを出力せず、オンスイッチ７４の操作があるまでスイッチ回路１６をオフに維持する。このようなオンスイッチ７４の他、情報処理回路６０に接続されたオフスイッチが設けられていてもよい。オフスイッチがユーザによって操作された場合、情報処理回路６０はドライブ回路６２にオフ・パルス信号ＯＦＦを出力する。これによって、オンの状態にあるスイッチ回路１６が手動によってオフになる。オンスイッチ７４を押しボタンスイッチで構成した場合には、オフスイッチの機能が、オンスイッチ７４の長押しによって実現されてもよい。
【００７９】
また、情報処理回路６０は、単相入力端子ａおよび中性入力端子ｃについての電圧検出値がオフ閾値以下となったとき、または、単相入力端子ｂおよび中性入力端子ｃについての電圧検出値がオフ閾値以下となったときにオフ・パルス信号ＯＦＦを出力し、スイッチ回路１６をオフにする。
【００８０】
電流閾値、漏洩電流閾値、オフ閾値、および温度閾値のそれぞれについては、継続時間が定められていてもよい。ここで、継続時間とは、スイッチ回路１６をオフにするに際して、各閾値に基づき定まる条件が成立すべき時間をいう。例えば、情報処理回路６０は、電流検出デバイス５２による電流検出値が電流閾値を超え、かつ、その状態が電流閾値に対して定められた継続時間に亘って継続した場合に、ドライブ回路６２にオフ・パルス信号ＯＦＦを出力し、スイッチ回路１６をオフにする。
【００８１】
（６−４）無線ユニットによる通信
電圧検出器５６は、単相入力端子ａ、中性入力端子ｃおよび単相入力端子ｂに接続されている。電圧検出器５６は、単相入力端子ａと中性入力端子ｃとの間の電圧、および、単相入力端子ｂと中性入力端子ｃとの間の電圧を検出し、各電圧検出値を情報処理回路６０に出力する。
【００８２】
情報処理回路６０は、各電圧検出値に基づいて電圧検出情報を生成する。情報処理回路６０は、さらに、各電圧検出値と、電流検出器５８から出力された各電流検出値に基づいて、電力検出値を求め電力検出情報を生成する。そして、電圧検出情報、電流検出情報、電力検出情報、漏電検出情報およびオンオフ情報を含む動作情報を生成し、無線ユニット６４に出力する。動作情報には、温度検出値を示す温度情報を含ませてもよい。無線ユニット６４は、動作情報をブレーカ制御装置に所定の時間間隔で送信する。
【００８３】
また、無線ユニット６４は、ブレーカ制御部４２から送信された制御情報を受信し、情報処理回路６０に出力する。情報処理回路６０は制御情報に基づいて、ドライブ回路６２にオン・パルス信号ＯＮまたはオフ・パルス信号ＯＦＦを出力し、スイッチ回路１６をオンオフ制御する。
【００８４】
さらに、無線ユニット６４は、上述の半自律的・代替制御においては、次のような処理を実行する。ここでは、図３の電源側ブレーカＰが図１の電源側ブレーカＰ２であり、他のもう１つの電源側ブレーカが、図１の電源側ブレーカＰ１であるものとする。電源側ブレーカＰ２の無線ユニット６４は、電源側ブレーカＰ１から送信された動作情報を受信し、その動作情報を情報処理回路６０に出力する。情報処理回路６０は、無線ユニット６４で受信され、出力される動作情報が途絶えたときに、ドライブ回路６２にオン・パルス信号ＯＮを出力し、スイッチ回路１６をオンにする。
【００８５】
（６−５）各部への電源電力供給
単相入力端子ａと中性入力端子ｃとの間には、直流電源回路５０が接続されている。直流電源回路５０は、単相入力端子ａと中性入力端子ｃとの間の交流電圧を直流電圧に変換し、直流端子ＴａおよびＴｂから、それぞれ、直流電圧ＶａおよびＶｂを出力する。直流端子ＴａおよびＴｂに対する電圧基準端子は中性入力端子ｃである。直流電圧ＶａおよびＶｂの電圧値は異なり、例えば、直流電圧Ｖａは５Ｖ、直流電圧Ｖｂは３．３Ｖである。
【００８６】
直流端子Ｔｂに接続されている回路について説明する。電圧検出器５６、電流検出器５８、情報処理回路６０および無線ユニット６４のそれぞれは、直流端子Ｔｂに接続され、これらには電源電圧として直流電圧Ｖｂが印加される。また、電圧検出器５６、電流検出器５８、情報処理回路６０、および無線ユニット６４の接地端子は中性入力端子ｃに接続されている。
【００８７】
電圧検出器５６、電流検出器５８、情報処理回路６０、および無線ユニット６４は、直流電圧Ｖｂを電源電圧として動作する。したがって、３線入力端子群１２に印加される電圧が遮断された場合には、直流電源回路５０から出力される直流電圧Ｖｂが０となり、電圧検出器５６、電流検出器５８、情報処理回路６０、および無線ユニット６４の動作が停止する。
【００８８】
次に、直流端子Ｔａに接続されている回路について説明する。直流端子Ｔａとドライブ回路６２との間には、直流端子Ｔａの側をアノード端子として、ダイオード６８が接続されている。ダイオード６８のカソード端子と、中性入力端子ｃに至る接地線Ｇとの間には、電力源としてのコンデンサ７０が接続されている。セットコイル１６Ｓおよびリセットコイル１６Ｒの各一端は接地線Ｇに接続され、各他端はドライブ回路６２に接続されている。
【００８９】
ドライブ回路６２は、ダイオード６８を介して印加される直流電圧Ｖａ、または、コンデンサ７０の端子間電圧を電源電圧として動作する。また、直流電源回路５０から電圧Ｖａが出力されている間、コンデンサ７０はダイオード６８を介して充電される。
【００９０】
３線入力端子群１２に印加される電圧が遮断された場合、情報処理回路６０には電力が供給されないため、情報処理回路６０はパイロット信号ＰＬを出力しない。これによって、ドライブ回路６２はスイッチ回路１６をオフにする。このとき、直流電源回路５０から出力される直流電圧Ｖａは０となっている。そのため、直流電源回路５０からドライブ回路６２には電力は供給されず、ドライブ回路６２は、コンデンサ７０に充電された電力を用いてリセットコイル１６Ｒに電流を流し、スイッチ回路１６をオフにする。このときダイオード６８は、逆方向バイアス状態となるため、コンデンサ７０から直流電源回路５０側に電流が流出することが回避される。なお、コンデンサ７０は、バッテリに置き換えられてもよい。
【００９１】
（６−６）インジケータ
インジケータ７２は、情報処理回路６０による制御に基づいて電源側ブレーカＰの動作状態を表示する。インジケータ７２は、色彩の異なる複数の発光ダイオード、例えば、１つの緑色発光ダイオードおよび１つの赤色発光ダイオードを備える。以下に、各発光ダイオードの点灯状態の例について説明する。
【００９２】
赤色発光ダイオードの消灯は、過大電流または漏洩電流が流れていない通常の状態でスイッチ回路１６がオフになったことを意味する。また、赤色発光ダイオードの点滅は、過大電流または漏洩電流が流れたことによって、スイッチ回路１６がオフになったことを意味する。そして、赤色発光ダイオードの点灯は、通常の状態でスイッチ回路１６がオンとなっていることを意味する。すなわち、スイッチ回路１６がオンであり、過大電流が流れておらず、かつ、漏洩電流が流れていない場合には、赤色発光ダイオードは点灯している。一方、過大電流または漏洩電流が流れたことによってスイッチ回路１６がオフになった場合、赤色発光ダイオードが点滅する。これによって、過大電流または漏洩電流が流れたことによって、スイッチ回路１６がオフになったことがユーザに示される。このとき、ユーザが過大電流または漏洩電流が流れた要因を取り除き、オンスイッチ７４を操作することでスイッチ回路１６がオンとなる。これによって、赤色発光ダイオードは再び点灯する。
【００９３】
緑色発光ダイオードの消灯は、入力端子から電力が供給されていないことを意味し、緑色発光ダイオードの点灯は、入力端子から電力が供給されていることを意味する。すなわち、単相入力端子ａと中性入力端子ｃとの間に入力されている電圧がオフ閾値を超えているときは、緑色発光ダイオードが点灯する。一方、単相入力端子ａと中性入力端子ｃとの間に入力されている電圧がオフ閾値以下であるときは、緑色発光ダイオードは消灯する。このとき電源電力が途絶えるため、緑色発光ダイオードが消灯すると共に赤色発光ダイオードも消灯する。これによって、電源側ブレーカＰに電圧が入力されているか否かがユーザに示される。
【００９４】
（７）負荷側ブレーカの具体的な構成
図４には、負荷側ブレーカＱの構成例が示されている。図３に示されている構成要素と同一の構成要素については同一の符号を付してその説明を省略する。負荷側ブレーカＱは、電源側ブレーカＰにおける単相入力端子ｂおよび単相出力端子ｅと、これらの端子間の構成要素を取り除いたものに相当する。図３における単相入力端子ａ、中性入力端子ｃ、単相出力端子ｄおよび中性出力端子ｆに相当する端子は、それぞれ、単相入力端子ｇ、中性入力端子ｈ、単相出力端子ｊおよび中性出力端子ｋとなる。ただし、上述の電流閾値、漏洩電流閾値、オフ閾値、および温度閾値は、出力端子対２４に接続される負荷システムに適した値が情報処理回路６０に記憶される。
【００９５】
図１および図２に示される電力供給システムでは、単相入力端子ｇおよび中性入力端子ｈが、それぞれ、第２単相線３４および中性線３６に接続される。このような接続の他、単相入力端子ｇおよび中性入力端子ｈが、それぞれ、第２単相線３４および第１単相線３２に接続されてもよい。第１単相線３２と中性線３６との間の電圧、および、第２単相線３４と中性線３６との間の電圧が互いに逆相の１００Ｖの電圧である場合、一般に前者の接続仕様は１００Ｖ仕様と称され、後者の接続仕様は、２００Ｖ仕様と称される。
【００９６】
情報処理回路６０は、電圧検出情報に基づいて、緑色発光ダイオードおよび赤色発光ダイオードを次のようなモードで点灯させ、１００Ｖ仕様で動作中であるか、２００Ｖ仕様で動作中であるかを示してもよい。
【００９７】
１００Ｖ仕様での動作中には、例えば、赤色発光ダイオードは消灯し、所定時間が経過する毎に、緑色発光ダイオードが２回点滅する。また、２００Ｖ仕様での動作中には、例えば、緑色発光ダイオードは消灯し、所定時間が経過する毎に、赤色発光ダイオードが２回点滅する。発光ダイオードを２回点滅させる時間間隔は、例えば３０秒とし各点滅における点灯時間は、例えば０．５秒とする。これによって、１００Ｖ仕様で動作中であるか、２００Ｖ仕様で動作中であるかがユーザに示される。
【００９８】
（８）電力供給システムのその他の動作
図１および図２に示されるブレーカ制御装置４０は、電源側ブレーカＰおよび負荷側ブレーカＱに対するオンオフ制御に加えて、電源側ブレーカＰおよび負荷側ブレーカＱから受信された動作情報を表示部４５に表示する処理を実行してもよい。この場合、ブレーカ制御部４２は、電源側ブレーカＰおよび負荷側ブレーカＱから受信された動作情報に基づいて、ユーザの操作に応じて、電圧検出情報、電流検出情報、電力検出情報、漏電検出情報、オンオフ情報、温度情報等のうちいずれかを表示部４５に表示させる。また、ブレーカ制御部４２は、無線インターフェース４４または有線インターフェース４６を介して通信接続された他のコンピュータに動作情報を表示させてもよい。
【００９９】
電源側ブレーカＰが備えるスイッチ制御部１８、および負荷側ブレーカＱが備えるスイッチ制御部２６には、上述の電流閾値、漏洩電流閾値、オフ閾値、および温度閾値が記憶されている。また、必要に応じて、電流閾値、漏洩電流閾値、オフ閾値、および温度閾値のそれぞれについて、継続時間が記憶されている。ブレーカ制御部４２は、ユーザの操作によってこれらの閾値または継続時間を決定し、無線通信によって各スイッチ制御部に対して各閾値または各継続時間を記憶させてもよい。これらの閾値および継続時間は、スイッチ回路をオンからオフとするときのオフ条件を示し、ブレーカ制御装置４０におけるユーザの操作によってオフ条件が設定され得る。また、ブレーカ制御部４２は、ユーザの操作によって、代替制御における各負荷システムおよび各負荷側ブレーカＱの優先順位や、その他の動作条件を設定してもよい。
【０１００】
また、無線インターフェース４４または有線インターフェース４６を介して通信接続された他のコンピュータは、ユーザの操作によって、ブレーカ制御装置４０を制御してもよい。これによって、ブレーカ制御装置４０から離れた位置にある遠隔コンピュータから、各閾値、各継続時間等の動作条件の設定が行われてもよい。
【０１０１】
（９）本実施形態に係る電力供給システムによる効果
本実施形態に係る電力供給システムによれば、電源側ブレーカおよび負荷側ブレーカに、それぞれの動作情報を送信するスイッチ制御部が備えられている。したがって、電力供給システムを構成するに際して、電源側ブレーカおよび負荷側ブレーカの他に、別の通信機器や制御回路を追加する必要がなく、電力供給システムの構成が単純化される。
【０１０２】
なお、上記では、２つまたは３つの電源側ブレーカＰを備える電力供給システムについて説明した。電源側ブレーカＰは、４つ以上であってもよい。また、上記では、３つの負荷側ブレーカＱを備える電力供給システムについて説明した。電源側ブレーカＰと同様、負荷側ブレーカＱの数は任意である。
【符号の説明】
【０１０３】
１０  商用電源、１２  ３線入力端子群、１４  ３線出力端子群、１６，２０  スイッチ回路、１６−１  第１スイッチ、１６−２  第２スイッチ、１６−３  第３スイッチ、１６Ｓ  セットコイル、１６Ｒ  リセットコイル、１８，２６  スイッチ制御部、２２  入力端子対、２４  出力端子対、２８  補助電源装置、３０  ２相・中性線、３２  第１単相線、３４  第２単相線、３６  中性線、３８  電源回路、４０  ブレーカ制御装置、４２  ブレーカ制御部、４４  無線インターフェース、４５  表示部、４６  有線インターフェース、４７  バッテリ、４８  通信コネクタ、５０  直流電源回路、５２，５４  電流検出デバイス、５６  電圧検出器、５８  電流検出器、６０  情報処理回路、６２  ドライブ回路、６４  無線ユニット、６６  抵抗器、６８  ダイオード、７０  コンデンサ、７２  インジケータ、７４  オンスイッチ、７６  温度センサ、１０１  第１商用電源、１０２  第２商用電源、１０３  第３商用電源、ａ，ｂ，ｇ  単相入力端子、ｃ，ｈ  中性入力端子、ｄ，ｅ，ｊ  単相出力端子、ｆ，ｋ  中性出力端子。
【図１】
2016092881.tif 000003
【図２】
2016092881.tif 000004
【図３】
2016092881.tif 000005
【図４】
2016092881.tif 000006